(57)【要約】【課題】表示装置と表示情報を送信する複数の装置との間の無線接続操作を簡素化し、無線アプリケーションの操作に不慣れなユーザがいても、表示装置との接続切換えを円滑に進める。【解決手段】通信制御装置１０１ｂに、複数の情報処理装置１００−ｉの接続順番及び情報処理装置１００−ｉの識別情報を予め登録しておき、登録された順番に従って、通信制御装置１０１ｂから複数の情報処理装置１００−ｉの中の該当する１台に接続し、情報処理装置１００−ｉから転送される電子情報内容を表示装置１０１ａで映像表示する。これにより無線アプリケーションに習熟していないユーザがいても、表示装置との接続切換えを円滑に進めることができる。【選択図】    図１
2005026853.tif 000002
【特許請求の範囲】
【請求項１】
任意の情報を処理し、処理した情報を表示情報として無線ネットワークを介して出力可能な複数の情報処理装置と、
上記情報処理装置との上記無線ネットワークを介した通信を制御する通信制御装置と、
上記通信制御装置で受信した表示情報を映像表示する表示装置と、
を備え、
上記複数の情報処理装置及び上記通信制御装置の中の特定の装置によって指定される接続順番に従って、上記通信制御装置と上記複数の情報処理装置の各々との間の上記無線ネットワークを介した接続を順次切換え、上記表示情報の送出を順次指示することを特徴とする表示情報の無線接続切換えシステム。
【請求項２】
上記特定の装置を、上記通信制御装置とすることを特徴とする請求項１記載の表示情報の無線接続切換えシステム。
【請求項３】
上記特定の装置を、上記複数の情報処理装置の中の任意の１台とすることを特徴とする請求項１記載の表示情報の無線接続切換えシステム。
【請求項４】
上記特定の装置に、上記複数の情報処理装置の各々に対する接続順番を予め登録したテーブルを備えることを特徴とする請求項１〜３の何れか一に記載の表示情報の無線接続切換えシステム。
【請求項５】
上記特定の装置に、上記複数の情報処理装置の各々に対する接続順番を指定するためのリストを備えることを特徴とする請求項１〜３の何れか一に記載の表示情報の無線接続切換えシステム。
【請求項６】
上記複数の情報処理装置の各々に対する接続順番を、上記複数の情報処理装置の各々に備えた無線ネットワークアダプタ毎の固有アドレスに基づいて管理することを特徴とする請求項４又は５記載の表示情報の無線接続切換えシステム。
【発明の詳細な説明】
【０００１】
【発明の属する技術分野】
本発明は、各種情報を表示する表示装置と表示情報を送信する複数の装置との間の無線による情報伝達を切換え制御する表示情報の無線接続切換えシステムに関する。
【０００２】
【従来の技術】
近年、プラズマディスプレイ等の大画面表示が可能なフラットパネルディスプレイや、スクリーン等に映像を投影表示するプロジェクタ等の表示装置の需要が急速に高まりつつあり、特に、会議等においてプレゼンテーションを行う場合には、プロジェクタを用いることが一般化している。
【０００３】
このプロジェクタを用いたプレゼンテーションにおいては、例えば、ノート型のパーソナルコンピュータ（Ｐｅｒｓｏｎａｌ  Ｃｏｍｐｕｔｏｒ；「パソコン」と略記）とプロジェクタとをＲＧＢケーブル等で接続してプレゼンテーションを行うことになるが、この有線による接続では、配線の煩わしさが伴うばかりでなく、複数のパソコンと接続したいような状況になった場合、その都度、ケーブルを繋ぎかえる必要がある。
【０００４】
一方、最近では、米国電気電子学会規格ＩＥＥＥ８０２．１１ｂに代表されるような無線ＬＡＮ（Ｌｏｃａｌ  Ａｒｉａ  Ｎｅｔｗｏｒｋ）が急速に普及しつつあり、無線ＬＡＮの使用を可能としたプロジェクタが次々に登場している。従って、通信速度は落ちるものの、無線ＬＡＮに対応したパソコンと、無線ＬＡＮに対応したプロジェクタとを使用することにより、両者をケーブルで繋ぐ必要がなくなり、パソコンが複数台存在しても、任意のパソコンからプロジェクタへの接続が可能となるため、ワイヤレスの電子会議システムを構築することが容易となった。
【０００５】
このような無線ＬＡＮによる電子会議システムの例は、例えば、特開２００３−８７２４７号公報（特許文献１）に開示されており、プロジェクタ及びコミュニケータからなるプレゼンテーション装置に、複数のノートパソコンを無線ＬＡＮを介して接続し、ノートパソコンの各種ファイルを、ノートパソコン上の操作画面でドラッグ＆ドロップしたり、デスクトップやアクティブなウインドウをキャプチャする等してファイルを転送し、プレゼンテーション装置において映像表示させることを可能としている。
【０００６】
【特許文献１】
特開２００３−８７２４７号公報
【０００７】
【発明が解決しようとする課題】
上述したように、プロジェクタ等の表示装置への無線ＬＡＮの搭載により、ワイヤレスで任意のパソコンから表示装置への接続が可能となったが、無線ＬＡＮの設定は、ネットワークを確立させることが目的であり、実際のパソコンと表示装置との接続（パソコンの画面を表示装置で表示）は、専用の無線アプリケーションを用いて行うことになる。
【０００８】
しかしながら、現行の無線アプリケーションでは、これから表示装置で表示させたいパソコン上で表示装置への接続操作を行うことになり、例えば、無線ＬＡＮ対応のプロジェクタに対して複数台のパソコンを接続し、プレゼンテーションを行う場合には、プレゼンテーションする人が変わる度にプロジェクタに接続操作を行う必要がある。
【０００９】
無線ＬＡＮが普及しつつあるとは言え、無線アプリケーション毎に接続方法は異なり、ある特定のアプリケーションの使用法を熟知した人が大勢いるとは言えず、無線関連のアプリケーション等の操作に不慣れな人には余計な負担となる。従って、無線アプリケーションの使用法を知らない人がいても、円滑に表示装置との接続切換えが行えるよう、無線接続操作の簡素化が求められる。
【００１０】
本発明は上記事情に鑑みてなされたもので、表示装置と表示情報を送信する複数の装置との間の無線接続操作を簡素化し、無線アプリケーションの操作に不慣れなユーザがいても、表示装置との接続切換えを円滑に進めることのできる表示情報の無線接続切換えシステムを提供することを目的としている。
【００１１】
【課題を解決するための手段】
上記目的を達成するため、本発明は、任意の情報を処理し、処理した情報を表示情報として無線ネットワークを介して出力可能な複数の情報処理装置と、上記情報処理装置との上記無線ネットワークを介した通信を制御する通信制御装置と、上記通信制御装置で受信した表示情報を映像表示する表示装置とを備え、上記複数の情報処理装置及び上記通信制御装置の中の特定の装置によって指定される接続順番に従って、上記通信制御装置と上記複数の情報処理装置の各々との間の上記無線ネットワークを介した接続を順次切換え、上記表示情報の送出を順次指示することを特徴とする。
【００１２】
【発明の実施の形態】
以下、図面を参照して本発明の実施の形態を説明する。
図１は、本発明による表示情報の無線接続切換えシステムの基本構成を示すものであり、無線ＬＡＮを使用可能な複数の情報処理装置１００−ｉ（ｉ＝１，２，…）と、無線ＬＡＮ対応表示装置１０１との間を無線ＬＡＮを介して接続し、表示情報の伝達を切換え制御するものであり、前記無線ＬＡＮ対応表示装置１０１は、表示装置１０１ａ及び表示装置１０１ａに付随する通信制御装置１０１ｂによって構成されている。
【００１３】
情報処理装置１００−ｉは、パーソナルコンピュータ（Ｐｅｒｓｏｎａｌ  Ｃｏｍｐｕｔｏｒ；以下、「パソコン」と略記）や個人用情報端末（Ｐｅｒｓｏｎａｌ  Ｄｉｇｉｔａｌ  Ａｓｓｉｓｔａｎｔｓ；ＰＤＡ）等であり、任意の情報を処理し、文字データや画像データを含む各種電子ファイル、キャプチャ画面等の表示情報を無線ネットワークを介して出力することができる。
【００１４】
表示装置１０１ａは、プラズマディスプレイ等の大画面表示が可能なフラットパネルディスプレイや、スクリーン等にカラー映像を投影表示するプロジェクタ等であり、個々の情報処理装置１００−ｉから転送される電子情報内容を映像表示する。
【００１５】
通信制御装置１０１ｂは、情報処理装置１００−ｉから転送されるデータを処理するコンピュータ機能を有し、図２に示すように、中央演算装置であるＣＰＵ１０２、ワークデータや制御用データを一時的に記憶するＲＡＭ及び制御プログラムや制御用固定データを記憶するＲＯＭからなるメモリ１０３、情報処理装置１００−ｉとの無線通信を制御するネットワークアダプタ１０４、情報処理装置１００−ｉからの送信された電子情報を表示装置１０１ａへの映像信号に変換するディスプレイアダプタ１０５、その他、図示しないハードディスク装置等の外部記憶装置を接続するためのインターフェース等がバスライン１０６を介して接続されている。
【００１６】
尚、表示装置１０１ａと通信制御装置１０１ｂとは、一体的に構成しても良く、或いは、別体で構成しても良い。
【００１７】
複数の情報処理装置１００−ｉの無線ＬＡＮへの接続においては、先ず最初に、通信制御装置１０１ｂと複数の情報処理装置１００−ｉの中の或る特定の装置との間で接続が確立し、特定の装置によって指定された順番に従って、複数の情報処理装置１００−ｉの中の各々の無線ＬＡＮへの接続が順次切換えられ、表示情報の送出が指示される。
【００１８】
すなわち、複数の情報処理装置１００−ｉの無線ＬＡＮにおけるアクセスは、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）等による自律分散的な個別の接続要求によるものではなく、指定された接続順番に従って個々の情報処理装置１００−ｉのアクセスを規制する、いわば集中制御的なアクセス制御によって管理される。個々の情報処理装置１００−ｉから無線ＬＡＮを介した通信制御装置１０１ｂへの能動的な接続要求は行われない。
【００１９】
具体的には、個々の情報処理装置１００−ｉは、特定の装置から指示される接続順番に従って無線ＬＡＮへの送信が可能となり、情報処理装置１００−ｉからの表示情報の送信が特定の装置によって集中的に管理される。この特定の装置としては、以下の（１），（２）で説明するように、通信制御装置１０１ｂ自身、或いは、複数の情報処理装置１００−ｉの中で管理者権限を有する参加者が操作する任意の情報処理装置を採用することができ、接続順番の指定は、予め登録しておいた順番で指定する場合と、任意に指定する場合とがある。
【００２０】
（１）通信制御装置１０１ｂを、個々の情報処理装置１００−ｉの接続順番を指定する特定の装置とする。
【００２１】
通信制御装置１０１ｂには、複数の情報処理装置１００−ｉの接続順番及び情報処理装置１００−ｉの識別情報を予め登録しておき、登録された順番に従って、通信制御装置１０１ｂから複数の情報処理装置１００−ｉの中の該当する１台に接続を働きかける。情報処理装置１００−ｉの接続を切換える場合には、現在の接続状態の終了を指示する信号（後述する“進む”ボタンや“戻る”ボタン等による信号）を通信制御装置１０１ｂに与えることにより、通信制御装置１０１ｂは、自動的に次の順番に登録された情報処理装置１００−ｉに接続が切り替わる。
【００２２】
この場合、特定の装置としての通信制御装置１０１ｂには、複数の情報処理装置１００−ｉの接続順番を予め登録せず、複数の情報処理装置１００−ｉの接続順番を指定するためのリストを作成しておき、このリストに基づいて複数の情報処理装置１００−ｉの接続順番を指定するようにしても良い。このリストによる接続順番の指定は、通信制御装置１０１ｂに対する管理者権限を有する者が、通信制御装置１０１ｂに設けられた操作パネルや遠隔操作用のコントローラ（リモコン）を操作することで行い、リストを参照して複数の情報処理装置１００−ｉの接続順番を適宜指定すると、通信制御装置１０１ｂが複数の情報処理装置１００−ｉの中の該当する１台に接続が切り替わる。
【００２３】
（２）複数の情報処理装置１００−ｉの中の１台（管理者権限を有する参加者が操作）をホストと定め、このホストを個々の情報処理装置１００−ｉの接続順番を指定する特定の装置とする。
【００２４】
ホストは、複数の情報処理装置１００−ｉの接続順番を指定するためのリストを用い、通信制御装置１０１ｂと接続するクライアント（ホスト自身を含む）を選択する。つまり、ホスト以外の情報処理装置１００−ｉは、自ら通信制御装置１０１ｂに接続することはできず、ホストが指定した接続順番に従って、情報処理装置１００−ｉの各々が通信制御装置１０１ｂに接続される。
【００２５】
この場合においても、ホストに、複数の情報処理装置１００−ｉの接続順番を予め登録しておいても良く、ホストは、登録された接続順番を通信制御装置１０１ｂに逐次指示する。通信制御装置１０１ｂは、ホストから指示された順番で、該当する情報処理装置１００−ｉと接続する。
【００２６】
更に、通信制御装置１０１ｂは、ホスト以外の情報処理装置１００−ｉに対して直接的に接続を働きかけず、ホストが、予め登録された接続順の情報処理装置１００−ｉ、或いはリストから指定される情報処理装置１００−ｉと選択的に接続し、情報処理装置１００−ｉから受信した表示情報を通信制御装置１０１ｂに転送するようにしても良い（ホスト自身の表示情報は、ホストから通信制御装置１０１ｂに転送する）。
【００２７】
以下、無線ＬＡＮ対応表示装置１０１としての無線ＬＡＮ対応のプロジェクタ１に、情報処理装置１００としてのパソコンＰＣを複数台接続し、ワイヤレス電子会議を行う場合を例に取って説明する。
【００２８】
図３〜図６は、プロジェクタ１に登録された接続順番に従って複数台のパソコンＰＣのプロジェクタ１への接続を切換え制御する第１の形態に係わるものである。
【００２９】
図３に示すように、プロジェクタ１は、前述の表示装置１０１ａに該当するプロジェクタ本体部１ａと通信制御装置１０１ｂに該当する通信制御部１ｂとを備えており、無線ＬＡＮを介して複数台のパソコンＰＣが接続される。ここでは、４台のパソコンＰＣ−Ａ，ＰＣ−Ｂ，ＰＣ−Ｃ，ＰＣ−Ｄがネットワークに接続される例を示す。
【００３０】
各パソコンＰＣ−Ａ，ＰＣ−Ｂ，ＰＣ−Ｃ，ＰＣ−Ｄは、例えば、持ち運び便利なノート型のパソコンであり、無線ＬＡＮ機能を本体に内蔵、或いは、無線ＬＡＮカードが外付けされており、プレゼンテーションデータを無線ＬＡＮ経由でプロジェクタ１に転送し、その内容を投影表示させるための専用のアプリケーション（無線ＬＡＮアプリケーション）がインストールされる。
【００３１】
プロジェクタ１及び各パソコンＰＣ−Ａ，ＰＣ−Ｂ，ＰＣ−Ｃ，ＰＣ−Ｄには、予め無線ＬＡＮを使用可能とする各種設定がなされる。この無線ＬＡＮの設定は、例えば、ＳＳＩＤ（Ｓｅｒｖｉｃｅ  Ｓｅｔ  Ｉｄｅｎｔｉｆｉｅｒ）等によるネットワークを識別するための識別コードの設定、ＷＥＰ（Ｗｉｒｅｄ  Ｅｑｕｉｖａｌｅｎｔ  Ｐｒｉｖａｃｙ）等の暗号化によるセキュリティの設定、ＴＣＰ／ＩＰ（Ｔｒａｎｓｍｉｓｓｉｏｎ  Ｃｏｎｔｒｏｌ  Ｐｒｏｔｏｃｏｌ  ／  Ｉｎｔｅｒｎｅｔ  Ｐｒｏｔｏｃｏｌ）等の通信プロトコルの設定等である。
【００３２】
更に、プロジェクタ１には、プロジェクタ１自体の設定を行う管理者を規定するためのＩＤやパスワード等の管理者情報が設定され、管理者権限を有するユーザにより、各パソコンＰＣ−Ａ，ＰＣ−Ｂ，ＰＣ−Ｃ，ＰＣ−Ｄの接続順番が登録される。
【００３３】
このプロジェクタ１への接続順番の登録は、各パソコンＰＣ−Ａ，ＰＣ−Ｂ，ＰＣ−Ｃ，ＰＣ−Ｄのネットワークアダプタ毎に割り当てられる固有の物理アドレスすなわちＭＡＣ（Ｍｅｄｉａ  Ａｃｃｅｓｓ  Ｃｏｎｔｒｏｌ）アドレス又はＴＣＰ／ＩＰを用いて行われる。プロジェクタ１内のメモリには、図４に示すように、各パソコンＰＣ−Ａ，ＰＣ−Ｂ，ＰＣ−Ｃ，ＰＣ−Ｄの接続順番に対応してＭＡＣアドレスが記録された接続情報テーブルが形成される。
【００３４】
尚、図４においては、現在、プロジェクタ１に接続しているパソコンを、各パソコンにインストールした専用アプリケーションのグラフィックユーザインタフェース（ＧＵＩ）画面に表示するため、ＭＡＣアドレス又はＴＣＰ／ＩＰと共にコンピュータの識別名を登録して管理する例を示している。
【００３５】
次に、以上のプロジェクタ１における各パソコンの接続切換え動作について、図５に示すフローチャートを用いて説明する。
【００３６】
システム全体が起動すると、先ず、図５のステップＳ１において、プロジェクタ１の操作を可能とするためのパスワードを入力する。入力されたパスワードは、ステップＳ２において、予めプロジェクタ１に設定された管理者情報と照合され、正しいか否かが判断される。そして、入力されたパスワードが管理者情報と一致しない（パスワードが正しくない）場合には、ステップＳ１へ戻ってパスワード入力待ちとなり、入力されたパスワードが管理者情報と一致する（パスワードが正しい）場合、ステップＳ３において、前述のＭＡＣアドレスによる接続順番を登録し、接続情報テーブルを作成する。
【００３７】
尚、以上のステップＳ１〜Ｓ３の処理は、プロジェクタ１に設けられた操作パネルや遠隔操作用のコントローラ（リモコン）を介し、管理者権限によって直接行うようにしても良く、或いは、プロジェクタ１に管理者権限でパソコンを接続し、この管理者権限を有するパソコンから行うようにして良い。
【００３８】
更に、プロジェクタ１内に作成される接続情報テーブルは、ＲＡＭ上に作成しても良く、或いはフラッシュＲＯＭやハードディスク等に作成するようにしても良い。ＲＡＭ上に接続情報テーブルを作成する場合には、会議の始まる直前に、現場での登録作業を要するが、会議終了後にテーブルデータが残らないため、セキュリティの確保や次回の会議のメンバーが異なる場合に余計な手間をかけなくて済むという利点がある。一方、会議の参加者数（コンピュータ数）が比較的多く、且つ、予め接続順番が決まっている場合には、前もってフラッシュＲＯＭやハードディスク等に接続情報テーブルを作成しておくことにより、すみやかに会議を開始することができる。
【００３９】
ステップＳ３に続くステップＳ４の処理では、プロジェクタ１内の接続情報テーブルを参照して接続順番の１番目のパソコン、例えば、パソコンＰＣ−Ａをプロジェクタ１に接続し、パソコンＰＣ−Ａ側の無線ＬＡＮアプリケーションによる表示情報の送信を促す。パソコンＰＣ−Ａ側の無線ＬＡＮアプリケーションでは、いわばプロジェクタ１側からの接続要求に呼応して、プレゼンテーション用のデータを送信する。
【００４０】
プロジェクタ１との接続が確立したパソコンから送信されるプレゼンテーション用のデータは、プレゼンテーション資料作成用のアプリケーションによるプレゼンテーション資料を表示した全画面、或いはマウス等のポインティングデバイスによるドラッグ＆ドロップ等の操作によって指定された範囲のウィンドウ画面をキャプチャした表示情報である。これらの表示情報がプロジェクタ１に転送されると、通信制御部１ｂにおいてＲＧＢ信号に変換されてプロジェクタ本体部１ａに出力され、スクリーン等に投影される。そして、このプロジェクタ１の映像上で資料の説明がなされる。尚、このプロジェクタ１によって投影される映像は、接続順にアクティブとなるマルチ画面とすることも可能である。
【００４１】
このとき、プロジェクタ１からは、各パソコンＰＣ−Ａ，ＰＣ−Ｂ，ＰＣ−Ｃ，ＰＣ−Ｄに、現在、プロジェクタ１に接続されているパソコンの識別名及び順番を示すデータが送信され、各パソコンＰＣ−Ａ，ＰＣ−Ｂ，ＰＣ−Ｃ，ＰＣ−Ｄの無線ＬＡＮアプリケーションにより、図６に示すようなＧＵＩ画面Ｇ１が表示される。このＧＵＩ画面Ｇ１により、各参加者は、現在、どの参加者のプレゼンテーションかを容易に確認することができ、また、次の接続順に当たる参加者は、自己のプレゼンテーションへの準備を行うことができる。尚、図６のＧＵＩ画面Ｇ１は、２番目のパソコンＰＣ−Ｂが接続状態にあることを示している。
【００４２】
そして、１番目のパソコンＰＣ−Ａにおけるプレゼンテーションが終了した場合には、パソコンＰＣ−ＡのユーザがＧＵＩ画面Ｇ１の下段にある“次へ”のボタンＢ１をマウスによってクリックする等してプロジェクタ１との接続を切換えることができる。但し、１番目のパソコンＰＣ−ＡのＧＵＩ画面Ｇ１では、“戻る”ボタンＢ２は、無効である。
【００４３】
このマウス操作によるイベントは、ステップＳ５において監視され、“次へ”ボタンＢ１がクリックされない状態では、ステップＳ４の１番目のパソコンＰＣ−Ａのプロジェクタ１への接続が維持され、“次へ”ボタンＢ１がクリックされると、接続終了と判断されてステップＳ５からステップＳ６へ進む。
【００４４】
ステップＳ６では、接続情報テーブルに登録された２番目のパソコン、ここでは、パソコンＰＣ−Ｂがプロジェクタ１に接続され、同様に、プロジェクタ１によってパソコンＰＣ−Ｂのプレゼンテーション情報が投影表示される。２番目以降のパソコンでは、自分の順番のとき、ＧＵＩ画面Ｇ１下段の“次へ”ボタンＢ１と、“戻る”ボタンＢ２とが共に有効となる。
【００４５】
２番目のパソコンＰＣ−ＢのＧＵＩ画面Ｇ１において、前の順番に登録されたパソコンに接続を戻す場合には、“戻る”ボタンＢ２をクリックすることによりステップＳ７からステップＳ４へ戻って１番目のパソコンＰＣ−Ａが再接続され、この１番目のパソコンＰＣ−Ａによるプレゼンテーションを再開することができる。
【００４６】
また、２番目のパソコンＰＣ−Ｂでのプレゼンテーションが終了し、ＧＵＩ画面Ｇ１の“次へ”ボタンＢ１をクリックすると、ステップＳ８からステップＳ９へ進んで３番目のパソコンＰＣ−Ｃがプロジェクタ１に接続される。そして、以後、同様の手順により、接続順番に該当するパソコンが自動的にプロジェクタ１に接続され、接続されたパソコンからのプレゼンテーション情報のプロジェクタ１による投影表示が行われ、ＧＵＩ画面Ｇ１の“戻る”ボタンＢ２による前の接続順番のパソコンへの接続切換え、“進む”ボタンＢ１による次の接続順番のパソコンへの接続が自動的に行われる。
【００４７】
尚、１番目のパソコン上のＧＵＩ画面Ｇ１における“戻る”ボタンＢ２、最後の接続順番のパソコン上のＧＵＩ画面Ｇ１における“進む”ボタンＢ１は、本形態では共に無効であるが、１番目のパソコン上の“戻る”ボタンＢ２により最後の順番のパソコンに接続し、最後の接続順番のパソコン上の“進む”ボタンＢ１により１番目のパソコンに接続するようにしても良い。
【００４８】
また、個々のパソコンのＧＵＩ画面には、“進む”ボタンや“戻る”ボタンを設けず、代わりにプロジェクタ１の操作パネルやリモコンにＧＵＩ画面の“進む”ボタンや“戻る”ボタンに相当するスイッチ等を設け、このスイッチを管理者権限を有するユーザが直接操作するようにしても良い。
【００４９】
更に、以上の第１の形態においては、プロジェクタ１に、各パソコンＰＣ−Ａ，ＰＣ−Ｂ，ＰＣ−Ｃ，ＰＣ−Ｄの接続順番を指定する接続情報テーブルを予め作成しておく例について説明したが、各パソコンＰＣ−Ａ，ＰＣ−Ｂ，ＰＣ−Ｃ，ＰＣ−Ｄの接続順番を指定するためのリストを設け、このリストをプロジェクタ１の操作パネルやリモコン等から参照して接続順番を適宜指定するようにしても良い。
【００５０】
このように、各パソコンの接続順をユーザが決めるのではなく、管理者権限を有する者のみが接続順番を定めることで、無線ＬＡＮのアプリケーションに習熟していないユーザがいても、プロジェクタとの接続切換えを円滑に進めることができ、電子会議等を効率的に進行させることができる。更には、各パソコンの接続切換えに関与するユーザを限定することから、第三者による割込みを効果的に防止することが可能となる。
【００５１】
次に、本発明の実施の第２の形態について、図７〜図９に基づいて説明する。第２の形態は、前述の第１の形態に対し、複数のパソコンの中の任意の１台をホストパソコンとし、このホストパソコンからプロジェクタ１と接続するパソコンを選択・指定する例である。
【００５２】
図７に示すように、第２の形態は、第１の形態と同様のシステム構成であるが、無線ＬＡＮを介してプロジェクタ１に接続される複数台のパソコンＰＣ−Ａ，ＰＣ−Ｂ，ＰＣ−Ｃ，ＰＣ−Ｄの中の任意の１台を、プロジェクタ１に対する管理者権限を有するホストと定める。ホストパソコンのユーザには、会議で言えば、司会進行役に相当する者が適している。
【００５３】
図７においては、パソコンＰＣ−Ａをホストとし、パソコンＰＣ−Ｂ，ＰＣ−Ｃ，ＰＣ−Ｄをクライアントとする例を示しており、このホストであるパソコンＰＣ−Ａのみが、プロジェクタ１への送信を常時許可されている。ホストパソコンＰＣ−Ａの無線ＬＡＮアプリケーションには、図８に示すように、プロジェクタ１と接続可能なパソコンの接続情報リスト（ホスト自身を含む）を作成する機能が備えられている。各パソコンの識別には、第１の形態と同様、ＭＡＣアドレス等の情報を用いる。
【００５４】
以下、ホストパソコンＰＣ−Ａによる接続切換えについて、図９に示すフローチャートを用いて説明する。
【００５５】
図９の最初のステップＳ１１，Ｓ１２は、第１形態のステップＳ１，Ｓ２と同様であり、プロジェクタ１に対するパスワードの入力から認証を経てステップＳ１３へ進み、任意のパソコンを選択してプロジェクタ１と接続する。パソコンの選択は、ホストパソコンＰＣ−ＡのＧＵＩ画面Ｇ２上に表示される接続情報リストによって行われ、例えば、会議の進行状態や討議内容に応じ、接続情報リストから適切なプレゼンテーション対象のパソコンを選択する。
【００５６】
具体的には、図８に示すように、接続情報リストの中の該当するパソコンをマウス等でチェックし、画面下部の“接続”ボタンＢ３をクリックすると、選択したパソコンのＭＡＣアドレスがホストパソコンＰＣ−Ａからプロジェクタ１に送信される。プロジェクタ１は、このＭＡＣアドレスに基づいて該当するパソコンと接続し、プレゼンテーション情報を受信して投影表示する。
【００５７】
このとき、ホストパソコンＰＣ−Ａは、クライアントパソコンＰＣ−Ｂ，ＰＣ−Ｃ，ＰＣ−ＤのそれぞれのＧＵＩ画面上で、現在の接続状態を知ることができるように、各クライアントパソコンＰＣ−Ｂ，ＰＣ−Ｃ，ＰＣ−Ｄに、図８と同様の接続情報リストを送信する。但し、クライアントパソコンＰＣ−Ｂ，ＰＣ−Ｃ，ＰＣ−ＤのＧＵＩ画面上に表示される接続情報リストでは、“接続”ボタンＢ３、“終了”ボタンＢ４は、無効或いは削除されている。
【００５８】
プレゼンテーションが終了し、現在の接続状態を切換える場合には、ＧＵＩ画面Ｇ２下部の“終了”ボタンＢ４をクリックすると、ＧＵＩ画面Ｇ２のチェックが外れる。このＧＵＩ画面Ｇ２において、次に接続するパソコンをチェックし、“接続”ボタンＢ３をクリックすると、この操作が検出されてステップＳ１４からステップＳ１５へ進み、選択された他のパソコンがプロジェクタ１に接続される。以下、同様に、ステップＳ１６，Ｓ１７，…を経て選択されたパソコンとプロジェクタ１との接続が順次切換えられる。
【００５９】
尚、ステップＳ１３，Ｓ１５，Ｓ１７，…におけるパソコンの接続は、プロジェクタ１との接続ではなく、ホストパソコンＰＣ−ＡとクライアントパソコンＰＣ−Ｂ，ＰＣ−Ｃ，ＰＣ−Ｄの中の指定されたパソコンとの接続としても良い。その場合、各クライアントパソコンＰＣ−Ｂ，ＰＣ−Ｃ，ＰＣ−Ｄは、プロジェクタ１には直接的には表示情報を送信せず、それぞれの表示情報をホストパソコンＰＣ−Ａを介してプロジェクタ１に転送することになる。
【００６０】
第２の形態においては、前述の第１の形態と同様、無線ＬＡＮのアプリケーションに習熟していないユーザがいても、プロジェクタとの接続切換えを円滑に進めることができるが、プロジェクタ１に接続情報テーブルを用いてパソコンの接続順番を予め登録する場合に比較し、司会進行役に相当するホストが会議の進行状況や討議内容の変遷に応じて臨機応変にプレゼンテーションの順番を変えることができる。更には、参加者の都合により出席を取り止めた場合や、プレゼンテーション前に途中退場しなければならなくなったような場合にも、柔軟に対処することができ、より自由度の高いシステムを構築することができる。
【００６１】
【発明の効果】
以上説明したように本発明によれば、表示装置と表示情報を送信する複数の装置との間の無線接続操作を簡素化することができ、無線アプリケーションの操作に不慣れなユーザがいても、表示装置との接続切換えを円滑に進めることができる。
【図面の簡単な説明】
【図１】無線接続切換えシステムの基本構成を示す説明図
【図２】通信制御装置のブロック図
【図３】本発明の実施の第１の形態に係わり、プロジェクタと無線ＬＡＮを介して接続される複数台のパソコンを示す説明図
【図４】同上、接続情報テーブルの説明図
【図５】同上、パソコンの接続切換え動作を示すフローチャート
【図６】同上、接続順番を表すＧＵＩ画面の説明図
【図７】本発明の実施の第２の形態に係わり、プロジェクタと無線ＬＡＮを介して接続される複数台のパソコンの中にホストを設定した場合の説明図
【図８】同上、接続情報リストを表すＧＵＩ画面の説明図
【図９】同上、ホストパソコンによる接続切換え動作を示すフローチャート
【符号の説明】
１  プロジェクタ
１ｂ  通信制御部
ＰＣ  パソコン
１００  情報処理装置
１０１ａ  表示装置
１０１ｂ  通信制御装置
【図１】
2005026853.tif 000003
【図２】
2005026853.tif 000004
【図３】
2005026853.tif 000005
【図４】
2005026853.tif 000006
【図５】
2005026853.tif 000007
【図６】
2005026853.tif 000008
【図７】
2005026853.tif 000009
【図８】
2005026853.tif 000010
【図９】
2005026853.tif 000011